(57)【要約】【課題】抵抗膜方式によってマルチタッチパネルに相当する技術を実現すること。【解決手段】入力装置は、入力部と制御部とを有する。入力部は、第１導電膜と、第２導電膜とを含む。第２導電膜は、第１導電膜と隙間を空けて対向して設けられる。制御部は、第１導電膜と第２導電膜との一方に電圧が印加された際に他方で生じた電圧に基づいて入力点の位置を算出する。また、制御部は、時間の経過による入力点の位置の変化量が閾値以内であって、第１導電膜と第２導電膜との間で生じる接触抵抗値が変化した場合に、複数の動作（動作Ａから動作Ｆ）を実施させるための各種信号を生成する。【選択図】図５
2011227671.tif 000002
【特許請求の範囲】
【請求項１】
電圧が印加される第１導電膜と、
前記第１導電膜と隙間を空けて対向して設けられて、前記第１導電膜に電圧が印加されていない時に電圧が印加される第２導電膜と、
前記第１導電膜と前記第２導電膜との間で生じる接触抵抗値が変化した場合に、電子機器を制御するための所定の信号を生成する制御部と、
を含むことを特徴とする入力装置。
【請求項２】
前記制御部は、前記第１導電膜または前記第２導電膜の一方に電圧が印加された際に他方で生じた電圧に基づいて前記入力装置に対する入力点の位置を算出し、時間の経過による前記入力点の位置の変化量が閾値以下であるか否かに基づいて、前記所定の信号を変えることを特徴とする請求項１に記載の入力装置。
【請求項３】
前記制御部は、前記入力点の移動方向に基づいて信号を生成することを特徴とする請求項２に記載の入力装置。
【請求項４】
前記制御部は、
前記入力点の移動方向と、
前記第１導電膜と前記第２導電膜との間で生じる接触抵抗値の変化が減少方向であるか増加方向であるかと、
に基づいて信号を生成することを特徴とする請求項２に記載の入力装置。
【請求項５】
画像を表示する表示部と、
表示部に重ねて設けられて前記表示部の光を透過する入力装置と、
を備え、前記入力装置は、
電圧が印加される第１導電膜と、
前記第１導電膜と隙間を空けて対向して設けられて、前記第１導電膜に電圧が印加されていない時に電圧が印加される第２導電膜と、
前記第１導電膜と前記第２導電膜との間で生じる接触抵抗値が変化した場合に所定の信号を生成する制御部と、
を含むことを特徴とする電子機器。
【発明の詳細な説明】
【技術分野】
【０００１】
本発明は、電子機器に情報を入力するための入力装置及び入力装置を備える電子機器に関する。
【背景技術】
【０００２】
入力装置は、ユーザーによる入力を受け付ける領域（以下、入力受付領域という）への指やペンの接触や、入力受付領域への指の近接を検出するものがある。以下、入力受付領域のうち、ユーザーが指やペンによって接触して選択した部分、または、ユーザーが指を近接して選択した部分を入力点という。このような入力装置は、入力点に対応した情報を電子機器に送る。特許文献１には、複数の指による同時入力を検出できる入力装置、いわゆるマルチタッチパネルが開示されている。
【先行技術文献】
【特許文献】
【０００３】
【特許文献１】特開２００３−１５０２９９号公報
【発明の概要】
【発明が解決しようとする課題】
【０００４】
入力点を検出する入力装置、いわゆるタッチパネルには、静電容量方式によって入力点を検出するものと、抵抗膜方式によって入力点を検出するものとがある。静電容量方式によって入力点を検出する入力装置は、複数の入力点を同時に検出できるため、特許文献１の入力装置のようなマルチタッチパネルに容易に適用されることができる。一方、抵抗膜方式によって入力点を検出する入力装置は、複数の入力点を同時に検出できず、従来、マルチタッチパネルへ適用できないとされている。
【０００５】
本発明は、上記に鑑みてなされたものであって、抵抗膜方式によってマルチタッチパネルに相当する技術を実現することを目的とする。
【課題を解決するための手段】
【０００６】
上述した課題を解決し、目的を達成するために、本発明に係る入力装置は、電圧が印加される第１導電膜と、前記第１導電膜と隙間を空けて対向して設けられて、前記第１導電膜に電圧が印加されていない時に電圧が印加される第２導電膜と、前記第１導電膜と前記第２導電膜との間で生じる接触抵抗値が変化した場合に、電子機器を制御するための所定の信号を生成する制御部と、を含むことを特徴とする。
【０００７】
本発明の好ましい態様としては、前記制御部は、前記第１導電膜または前記第２導電膜の一方に電圧が印加された際に他方で生じた電圧に基づいて前記入力装置に対する入力点の位置を算出し、時間の経過による前記入力点の位置の変化量が閾値以下であるか否かに基づいて、前記所定の信号を変えることが望ましい。
【０００８】
本発明の好ましい態様としては、前記制御部は、前記入力点の移動方向に基づいて信号を生成することが望ましい。
【０００９】
本発明の好ましい態様としては、前記制御部は、前記入力点の移動方向と、前記第１導電膜と前記第２導電膜との間で生じる接触抵抗値の変化が減少方向であるか増加方向であるかと、に基づいて信号を生成することが望ましい。
【００１０】
上述した課題を解決し、目的を達成するために、本発明に係る電子機器は、画像を表示する表示部と、表示部に重ねて設けられて前記表示部の光を透過する入力装置と、を備え、前記入力装置は、電圧が印加される第１導電膜と、前記第１導電膜と隙間を空けて対向して設けられて、前記第１導電膜に電圧が印加されていない時に電圧が印加される第２導電膜と、前記第１導電膜と前記第２導電膜との間で生じる接触抵抗値が変化した場合に所定の信号を生成する制御部と、を含むことを特徴とする。
【発明の効果】
【００１１】
本発明に係る入力装置及び電子機器は、抵抗膜方式によってマルチタッチパネルに相当する技術を実現できる。
【図面の簡単な説明】
【００１２】
【図１】図１は、携帯電話機の外観を示す斜視図である。
【図２】図２は、入力部の構成を模式的に示す説明図である。
【図３】図３は、制御部が有する機能を示すブロック図である。
【図４】図４は、制御部が入力点の座標を取得する原理を説明するための説明図である。
【図５】図５は、制御部が実行する一連の手順を示すフローチャートである。
【図６】図６は、２つの入力手段間の距離と、接触抵抗の変化量との関係を示すグラフである。
【図７】図７は、動作Ａから動作Ｆまでの各動作の例を示す図表である。
【図８】図８は、動作Ｄから動作Ｆまでの各動作の詳細な例を示す図表である。
【発明を実施するための形態】
【００１３】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下の説明では、入力装置を備える電子機器として携帯電話機を例として説明するが、本発明の適用対象は携帯電話機に限定されるものではない。例えば、ＰＨＳ（Personal Handyphone System）、ＰＤＡ（Personal Digital Assistant）、ポータブルナビゲーション装置、ノートパソコン、ゲーム機等の携帯電子機器や、デスクトップパソコン、モニタなどの据え置き型の電子機器に対しても本発明を適用できる。
【００１４】
（実施形態）
図１は、携帯電話機の外観を示す斜視図である。なお、各図に示される各装置の大きさや配置位置などは、実際のものと異なる場合がある。図１に示す携帯電話機１は、筐体１０と、表示部１１と、マイク１２と、レシーバ１３と、入力装置１４と、制御部３０とを含む。筐体１０は、例えば、１つの箱型で構成される。筐体１０は、いわゆるストレート型筐体である。なお、筐体１０は、例えば、第１筐体と第２筐体との２つを含んで構成されてもよい。この場合、筐体１０は、第１筐体が第２筐体に対してスライドする構成のスライド式筐体でもよいし、第１筐体が第２筐体に対して回動する折り畳み式の筐体でもよい。すなわち、筐体１０の構成は限定されない。
【００１５】
表示部１１と、マイク１２と、レシーバ１３と、入力装置１４と、制御部３０とは、それぞれ、筐体１０の内部や外表面に設けられる。表示部１１と、マイク１２と、レシーバ１３と、入力装置１４とは、それぞれ制御部３０と電気的に接続される。制御部３０は、ＣＰＵ（Central Processing Unit）を含んで構成され、携帯電話機１の全体的な作動を統括的に制御する装置である。表示部１１は、制御部３０から受け取った信号に基づいて画像を表示する。マイク１２は、音声を電気信号に変換する。そして制御部３０が、電気信号に変換された音声をマイク１２から取得する。レシーバ１３は、それぞれ、制御部３０から出力された電気信号を音声に変換して出力する。
【００１６】
入力装置１４は、携帯電話機１のユーザーによって操作される。入力装置１４は、入力部２０と、制御装置とを含む。本実施形態の制御装置は、制御部３０に含まれる。入力部２０は、例えば、表示部１１を覆うように設けられる。入力部２０は、表示部１１よりも筐体１０の外側（筐体１０の内部を内側とする）に設けられる。入力部２０は、光を透過する。これにより、ユーザーは、入力部２０越しに表示部１１を目視できる。入力部２０は、ユーザーの人体の一部（例えば指）や、それ以外の物（例えばペン）による入力を電気信号に変換する。すなわち、表示部１１及び入力部２０は、いわゆるタッチパネルとしての機能を実現する。次に、入力部２０の具体的な構成を説明する。
【００１７】
図２は、入力部の構成を模式的に示す説明図である。図２に示すように、入力部２０は、可撓性フィルム２１と、第１導電膜２２と、貼合材２３と、第２導電膜２４と、ガラス板２５と、ドットスペーサ２６と、コネクタテール２７とを含む。以下、ユーザーの人体の一部（例えば指）や、それ以外の物（例えばペン）を、入力手段Ｘという。入力部２０は、外側から内側（図１に示す筐体１０の内部側）に向かって順に、可撓性フィルム２１と、第１導電膜２２と、貼合材２３と、第２導電膜２４と、ガラス板２５とが積層される。
【００１８】
可撓性フィルム２１は、光を透過する薄膜であり、入力手段Ｘから力を受けると撓む。第１導電膜２２及び第２導電膜２４は、ＩＴＯ（Indium Tin Oxide）膜である。貼合材２３は、第１導電膜２２と第２導電膜２４とを接着すると共に、第１導電膜２２と第２導電膜２４との間に隙間を確保する。ガラス板２５は、光を透過する板状部材であり、可撓性フィルム２１よりも変形しにくい部材である。ドットスペーサ２６は、第１導電膜２２と第２導電膜２４との間に設けられて、第１導電膜２２と第２導電膜２４との間の隙間を確保する。コネクタテール２７は、図１に示す制御部３０と第１導電膜２２とを電気的に接続するためのパターンと、制御部３０と第２導電膜２４とを電気的に接続するためのパターンとを含む。次に、制御部３０の具体的な構成を説明する。
【００１９】
図３は、制御部が有する機能を示すブロック図である。制御部３０は、１つの装置が図３に示す各機能を実現してもよいし、図３に示す各機能をそれぞれ別個に実現する複数の装置が電気的に接続されることで各機能を実現してもよい。制御部３０は、記憶部３１と、通信部３２と、音声処理部３３と、表示制御部３４と、情報取得処理部３５と、主制御部３６との各機能を実現する。記憶部３１は、制御部３０が実行する一連の手順（コンピュータプログラム）を記憶したり、前記一連の手順の実行に必要な情報を記憶したりする。通信部３２は、他の電子機器との通信を実現する。具体的には、通信部３２は、ユーザーが作成したメールを送信したり、他の携帯電話機から送信されたメールを受信したり、音声通話用の音声データを送受信したりする。
【００２０】
音声処理部３３は、マイク１２から信号を取得する。具体的には、音声処理部３３は、マイク１２が電気信号に変換した音声データをマイク１２から取得する。また、音声処理部３３は、レシーバ１３に信号を出力する。具体的には、音声処理部３３は、レシーバ１３へ信号を出力して、レシーバ１３に音声を出力させる。表示制御部３４は、表示部１１に表示させる画像を生成する。
【００２１】
情報取得処理部３５は、入力部２０から信号を取得する。すなわち、情報取得処理部３５は、ユーザーが入力部２０に入力した操作を信号として取得する。主制御部３６は、記憶部３１から情報取得処理部３５の各部を統括すると共に、記憶部３１から情報取得処理部３５の各部とは異なる機能を実現する。例えば、主制御部３６は、記憶部３１に記憶されている一連の手順（コンピュータプログラム）を実行したり、前記一連の手順の実行に必要な演算をしたりする。次に、入力部２０の入力受付領域のうち入力手段Ｘが接触した入力点の座標と、入力点Ｐに生じる圧力とを、制御部３０が取得する原理について説明する。
【００２２】
図４は、制御部が入力点の座標を取得する原理を説明するための説明図である。図４に示すＸ方向とＹ方向とは直交する。図４に示すように、第１導電膜２２は、Ｘ方向で対向するプラス電極２２ａとマイナス電極２２ｂとを含む。また、第２導電膜２４は、Ｙ方向で対向するプラス電極２４ａとマイナス電極２４ｂとを含む。入力部２０は、プラス電極２２ａに電圧が印加されている際に入力手段Ｘによって入力点Ｐが押されると、第２導電膜２４のプラス電極２４ａとマイナス電極２４ｂとの間に電圧が生じる。この時、第２導電膜２４は、入力点ＰのＸ方向の位置（座標）に対応して、プラス電極２４ａとマイナス電極２４ｂとの間に生じる電圧が変化する。これは、プラス電極２２ａとマイナス電極２２ｂとの間に印加された電圧が抵抗分割によって分圧されるためである。図３に示す情報取得処理部３５は、図４に示すプラス電極２２ａに電圧が印加されている際にプラス電極２４ａとマイナス電極２４ｂとの間に生じた電圧を取得することで、入力点ＰのＸ方向の位置（座標）を取得する。
【００２３】
また、入力部２０は、プラス電極２４ａに電圧が印加されている際に入力手段Ｘによって入力点Ｐが押されると、第１導電膜２２のプラス電極２２ａとマイナス電極２２ｂとの間に電圧が生じる。この時、第１導電膜２２は、入力点ＰのＹ方向の位置（座標）に対応して、プラス電極２２ａとマイナス電極２２ｂとの間に生じる電圧が変化する。これは、プラス電極２４ａとマイナス電極２２ｂとの間に印加された電圧が抵抗分割によって分圧されるためである。図３に示す情報取得処理部３５は、図４に示すプラス電極２４ａに電圧が印加されている際にプラス電極２２ａとマイナス電極２２ｂとの間に生じた電圧を取得することで、入力点ＰのＹ方向の位置（座標）を取得する。
【００２４】
また、入力部２０は、プラス電極２２ａとプラス電極２４ａとの一方に電圧が印加されている際に入力手段Ｘによって入力点Ｐが押されると、第１導電膜２２と第２導電膜２４との間に接触抵抗が生じる。この接触抵抗は、入力点Ｐに生じる圧力の大きさに対応する。具体的には、入力点Ｐに生じる圧力が大きくなるほど、第１導電膜２２と第２導電膜２４との間に生じる接触抵抗が小さくなる。図３に示す情報取得処理部３５は、図４に示す第１導電膜２２と第２導電膜２４との間に生じる接触抵抗を取得する。※この接触抵抗は、例えば、第１導電膜２２と第２導電膜２４との間を流れる電圧及び電流に基づいて算出される。次に、制御部３０が実行する一連の手順の一例を説明する。
【００２５】
図５は、制御部が実行する一連の手順を示すフローチャートである。図５に示すＳＴ０１で、主制御部３６は、入力部２０への入力手段Ｘによる接触があるか否かを判定する。具体的には、主制御部３６は、情報取得処理部３５が入力部２０から接触抵抗を取得した場合に、入力部２０への入力手段Ｘによる接触があると判定する。入力部２０への入力手段Ｘによる接触がないと主制御部３６が判定すると（ステップＳＴ０１、Ｎｏ）、制御部３０は、一連の手順の実行を終了する。
【００２６】
入力部２０への入力手段Ｘによる接触があると主制御部３６が判定すると（ステップＳＴ０１、Ｙｅｓ）、制御部３０は、ステップＳＴ０２を実行する。ステップＳＴ０２で、記憶部３１は、情報取得処理部３５が取得した情報を記憶する。前記情報は、入力点Ｐの位置（Ｘ座標及びＹ座標）及び接触抵抗（入力点Ｐに生じる圧力）である。ここで、記憶部３１が記憶する入力点Ｐの位置を位置Ｄ０とし、入力点Ｐに生じる圧力に対応する値である接触抵抗を接触抵抗Ｒ０とする。
【００２７】
次に、ステップＳＴ０３で、情報取得処理部３５は、入力部２０から信号を取得する。前記信号は、入力点Ｐの位置に対応した信号（電圧に対応した信号）及び接触抵抗に対応した信号（入力点Ｐに生じる圧力に対応した信号）である。そして、主制御部３６は、前記信号に基づいて、入力点Ｐの新たな位置（Ｘ座標及びＹ座標）及び新たな接触抵抗（入力点Ｐに生じる新たな圧力）を算出する。そして、記憶部３１は、前記信号に基づいて、入力点Ｐの新たな位置（Ｘ座標及びＹ座標）及び新たな接触抵抗（入力点Ｐに生じる新たな圧力）を、算出した時期に関連付けて記憶する。
【００２８】
次に、ステップＳＴ０４で、主制御部３６は、入力部２０への入力手段Ｘによる接触が無くなったか否かを判定する。具体的には、主制御部３６は、情報取得処理部３５が入力部２０から接触抵抗を取得できなかった場合に、入力部２０への入力手段Ｘによる接触が無くなったと判定する。入力部２０への入力手段Ｘによる接触があると主制御部３６が判定すると（ステップＳＴ０４、Ｎｏ）、制御部３０は、ステップＳＴ０３へ戻る。これにより、記憶部３１は、入力点Ｐの新たな位置（Ｘ座標及びＹ座標）及び新たな接触抵抗（入力点Ｐに生じる新たな圧力）を、算出した時期に関連付けて、ステップＳＴ０４で肯定的な判定がなされるまで繰り返し記憶する。
【００２９】
入力部２０への入力手段Ｘによる接触が無くなったと主制御部３６が判定すると（ステップＳＴ０４、Ｙｅｓ）、制御部３０は、ステップＳＴ０５を実行する。ステップＳＴ０５で、主制御部３６は、記憶部３１から位置Ｄ０及び接触抵抗Ｒ０と、位置Ｄｎ及び接触抵抗Ｒｎとを取得する。位置Ｄｎは、ステップＳＴ０５へ進む直前にステップＳＴ０４で記憶部３１が記憶した入力点Ｐの位置である。すなわち、位置Ｄｎは、記憶部３１に格納された複数の情報（入力点Ｐの位置に関する情報）のうち最新（最終）の情報である。接触抵抗Ｒｎは、ステップＳＴ０５へ進む直前にステップＳＴ０４で記憶部３１が記憶した接触抵抗である。すなわち、接触抵抗Ｒｎは、記憶部３１に格納された複数の情報（接触抵抗に関する情報）のうち最新（最終）の情報である。次に、ステップＳＴ０６で、主制御部３６は、位置Ｄ０から位置Ｄｎを減算した値の絶対値が閾値Ｄａ以下であるか否かを判定する。閾値Ｄａは、ユーザーが入力点Ｐを移動させることを意図していないと判定できる値である。
【００３０】
位置Ｄ０から位置Ｄｎを減算した値の絶対値が閾値Ｄａ以下であると主制御部３６が判定すると（ステップＳＴ０６、Ｙｅｓ）、制御部３０は、ステップＳＴ０７を実行する。ステップＳＴ０７で、主制御部３６は、接触抵抗Ｒ０から接触抵抗Ｒｎを減算した値の絶対値が閾値Ｒａ以上であるか否かを判定する。閾値Ｒａは、入力手段Ｘが２つであり、この２つの入力手段Ｘが互いに離れる方向、または、互いに近づく方向に移動したと判定できる値である。以下に、閾値Ｒａの設定方法の一例を説明する。
【００３１】
図６は、２つの入力手段間の距離と、接触抵抗の変化量との関係を示すグラフである。ユーザーが２つの入力手段Ｘで入力部２０に接触した場合、図６に示すように、２つの入力手段間の距離が変化すると、接触抵抗（入力点Ｐに生じる圧力）も変化する。具体的には、接触抵抗（入力点Ｐに生じる圧力）は、２つの入力手段間の距離が大きくなるほど小さくなる。閾値Ｒａは、例えば、この図６に示すグラフに基づき、ユーザーが２つの入力手段Ｘの間の距離を変化させようと意図したか否かを判定できる値に設定される。
【００３２】
制御部３０が実行する一連の手順の説明に戻る。接触抵抗Ｒ０から接触抵抗Ｒｎを減算した値の絶対値が閾値Ｒａ未満であると主制御部３６が判定すると（図５のステップＳＴ０７、Ｎｏ）、制御部３０は、ステップＳＴ１１を実行する。ステップＳＴ１１で、主制御部３６は、動作Ａを実施させるための信号を生成する。なお、動作Ａについては後述する。接触抵抗Ｒ０から接触抵抗Ｒｎを減算した値の絶対値が閾値Ｒａ以上であると主制御部３６が判定すると（ステップＳＴ０７、Ｙｅｓ）、制御部３０は、ステップＳＴ０８を実行する。すなわち、２つの入力手段Ｘが互いに離れる方向、または、互いに近づく方向に移動したと主制御部３６が判定すると、制御部３０は、ステップＳＴ０８を実行する。
【００３３】
ステップＳＴ０８で、主制御部３６は、第１導電膜２２と第２導電膜２４との間で生じる接触抵抗値の変化が減少方向であるか増加方向であるかを判定する。具体的には、主制御部３６は、接触抵抗Ｒ０から接触抵抗Ｒｎを減算した値が負の値かを判定する。すなわち、主制御部３６は、２つの入力手段Ｘが互いに離れる方向に移動したか（接触抵抗Ｒ０から接触抵抗Ｒｎを減算した値が負の値）、２つの入力手段Ｘが互いに近づく方向に移動したか（接触抵抗Ｒ０から接触抵抗Ｒｎを減算した値が正の値）を判定する。接触抵抗Ｒ０から接触抵抗Ｒｎを減算した値が負の値であると主制御部３６が判定すると（ステップＳＴ０８、Ｙｅｓ）、制御部３０は、ステップＳＴ１２を実行する。ステップＳＴ１２で、主制御部３６は、動作Ｂを実施させるための信号を生成する。なお、動作Ｂについては後述する。接触抵抗Ｒ０から接触抵抗Ｒｎを減算した値が正の値であると主制御部３６が判定すると（ステップＳＴ０８、Ｎｏ）、制御部３０は、ステップＳＴ１３を実行する。ステップＳＴ１３で、主制御部３６は、動作Ｃを実施させるための信号を生成する。なお、動作Ｃについては後述する。
【００３４】
位置Ｄ０から位置Ｄｎを減算した値の絶対値が閾値Ｄａより大きいと主制御部３６が判定すると（ステップＳＴ０６、Ｎｏ）、制御部３０は、ステップＳＴ０９を実行する。ステップＳＴ０９は、ステップＳＴ０７と同様であるため説明を省略する。接触抵抗Ｒ０から接触抵抗Ｒｎを減算した値の絶対値が閾値Ｒａ未満であると主制御部３６が判定すると（ステップＳＴ０９、Ｎｏ）、制御部３０は、ステップＳＴ１４を実行する。ステップＳＴ１４で、主制御部３６は、動作Ｄを実施させるための信号を生成する。なお、動作Ｄについては後述する。接触抵抗Ｒ０から接触抵抗Ｒｎを減算した値の絶対値が閾値Ｒａ以上であると主制御部３６が判定すると（ステップＳＴ０９、Ｙｅｓ）、制御部３０は、ステップＳＴ１０を実行する。ステップＳＴ１０は、ステップＳＴ０８と同様であるため説明を省略する。
【００３５】
接触抵抗Ｒ０から接触抵抗Ｒｎを減算した値が負の値であると主制御部３６が判定すると（ステップＳＴ１０、Ｙｅｓ）、制御部３０は、ステップＳＴ１５を実行する。ステップＳＴ１５で、主制御部３６は、動作Ｅを実施させるための信号を生成する。なお、動作Ｅについては後述する。接触抵抗Ｒ０から接触抵抗Ｒｎを減算した値が正の値であると主制御部３６が判定すると（ステップＳＴ１０、Ｎｏ）、制御部３０は、ステップＳＴ１６を実行する。ステップＳＴ１６で、主制御部３６は、動作Ｆを実施させるための信号を生成する。なお、動作Ｆについては後述する。ステップＳＴ１１からステップＳＴ１６のいずれかの実行を完了すると、制御部３０は、一連の手順の実行を終了する。
【００３６】
ここで、ステップＳＴ１１へ至った場合、ユーザーは、少なくとも１つの入力手段Ｘで入力部２０の一点を選択したと考えられる。ステップＳＴ１２へ至った場合、ユーザーは、２つの入力手段Ｘで入力部２０に接触し、２つの入力手段Ｘを互いに近づけたと考えられる。ステップＳＴ１３へ至った場合、ユーザーは、２つの入力手段Ｘで入力部２０に接触し、２つの入力手段Ｘを互いに遠ざけたと考えられる。ステップＳＴ１４へ至った場合、ユーザーは、少なくとも１つの入力手段Ｘで入力部２０の一点を選択し、その一点（入力点Ｐ）を移動させたと考えられる。ステップＳＴ１５へ至った場合、ユーザーは、２つの入力手段Ｘで入力部２０に接触し、入力点Ｐを移動させつつ２つの入力手段Ｘを互いに近づけたと考えられる。ステップＳＴ１６へ至った場合、ユーザーは、２つの入力手段Ｘで入力部２０に接触し、入力点Ｐを移動させつつ２つの入力手段Ｘを互いに遠ざけたと考えられる。次に、動作Ａから動作Ｆまでの各動作の例を説明する。
【００３７】
図７は、動作Ａから動作Ｆまでの各動作の例を示す図表である。以下に説明する各動作は、一例であり限定されるものではない。例えば、ユーザーが、各動作を任意に設定できるものでもよい。図７に示す例１は、表示部１１に画像を表示している際の動作例である。ユーザーが少なくとも１つの入力手段Ｘで入力部２０の一点を選択した場合、動作Ａで、表示制御部３４は、表示部１１に表示させる画像を全画面に拡大して表示させる。または、動作Ａで、表示制御部３４は、表示部１１に表示させる画像に加えて、「選択」や「メニュー」や「回転」などの各種アイコンの画像を表示させる。ユーザーが２つの入力手段Ｘで入力部２０に接触し、２つの入力手段Ｘを互いに近づけた場合、動作Ｂ及び動作Ｅで、表示制御部３４は、表示部１１に表示させている画像を縮小して表示させる。ユーザーが２つの入力手段Ｘで入力部２０に接触し、２つの入力手段Ｘを互いに遠ざけた場合、動作Ｃ及び動作Ｆで、表示制御部３４は、表示部１１に表示させている画像を拡大して表示させる。ユーザーが少なくとも１つの入力手段Ｘで入力部２０の一点を選択し、その一点（入力点Ｐ）を移動させた場合、動作Ｄで、表示制御部３４は、表示部１１に表示させている画像ファイルの次の画像ファイルを表示部１１に表示させる。
【００３８】
例２は、表示部１１に画像を表示している際の他の動作例である。動作Ａは例１の動作Ａと同様であり、動作Ｄは例１の動作Ｄと同様である。ユーザーが２つの入力手段Ｘで入力部２０に接触し、２つの入力手段Ｘを互いに近づけた場合、動作Ｂ及び動作Ｅで、表示制御部３４は、表示部１１の輝度を低下させる。ユーザーが２つの入力手段Ｘで入力部２０に接触し、２つの入力手段Ｘを互いに遠ざけた場合、動作Ｃ及び動作Ｆで、表示制御部３４は、表示部１１の輝度を上昇させる。
【００３９】
例３は、表示部１１に各種メニュー画面を表示している際の動作例である。メニュー画面とは、表示部１１に各種機能を実現するための画面に切り替えるためのアイコン画像が表示されている画面である。ユーザーが少なくとも１つの入力手段Ｘで入力部２０の一点を選択した場合、動作Ａで、表示制御部３４は、表示部１１にアイコンが選択されたことを示す演出をする画像（アニメーション）を表示させる。そして、主制御部３６は、選択されたアイコンを特定し、このアイコンに対応した機能を実現する。ユーザーが２つの入力手段Ｘで入力部２０に接触し、２つの入力手段Ｘを互いに近づけた場合、動作Ｂで、表示制御部３４は、あらかじめ第１のショートカットとして設定された機能を実現するための画面を表示部１１に表示させる。ユーザーが２つの入力手段Ｘで入力部２０に接触し、２つの入力手段Ｘを互いに遠ざけた場合、動作Ｃで、表示制御部３４は、あらかじめ第２のショートカットとして設定された機能を実現するための画面を表示部１１に表示させる。第１や第２のショートカットとして設定された機能は、例えば、カメラ撮影の機能や、動画・音楽ファイルを再生する機能である。ユーザーが少なくとも１つの入力手段Ｘで入力部２０の一点を選択し、その一点（入力点Ｐ）を移動させた場合、動作Ｄで、表示制御部３４は、選択されたアイコンを移動させる。ユーザーが２つの入力手段Ｘで入力部２０に接触し、入力点Ｐを移動させつつ２つの入力手段Ｘを互いに近づけた場合、動作Ｅで、表示制御部３４は、アイコンをドラッグ移動させる。ドラッグ移動とは、選択したアイコンを入力点Ｐの移動に追従した移動である。ユーザーが２つの入力手段Ｘで入力部２０に接触し、入力点Ｐを移動させつつ２つの入力手段Ｘを互いに遠ざけた場合、動作Ｆで、表示制御部３４は、アイコンをドロップさせる。ドロップとは、ドラッグ移動中のアイコンをリリースすることである。
【００４０】
例４は、携帯電話機１がカメラ撮影の機能を実現している際の動作例である。例４を実施する場合、携帯電話機１は、画像を撮像するカメラを備え、かつ、前記カメラの作動を制御するカメラ制御部が制御部３０に含まれる必要がある。ユーザーが少なくとも１つの入力手段Ｘで入力部２０の一点を選択した場合、動作Ａで、カメラ制御部は、カメラに撮像させる。ユーザーが２つの入力手段Ｘで入力部２０に接触し、２つの入力手段Ｘを互いに近づけた場合、動作Ｂ及び動作Ｅで、カメラ制御部は、カメラに撮像させる画像を縮小（ズームアウト）させる。ユーザーが２つの入力手段Ｘで入力部２０に接触し、２つの入力手段Ｘを互いに遠ざけた場合、動作Ｃ及び動作Ｆで、カメラ制御部は、カメラに撮像させる画像を拡大（ズームイン）させる。なお、例４では、誤作動を抑制するため、動作Ｄは機能が割り当てられていない。
【００４１】
例５では、携帯電話機１が動画や音楽を再生する機能を実現している際の動作例である。以下、動画や音楽のファイルをマルチメディアファイルという。以下では、マルチメディアファイルが動画ファイルであるものとして説明する。ユーザーが少なくとも１つの入力手段Ｘで入力部２０の一点を選択した場合、動作Ａで、表示制御部３４は、再生中のマルチメディアファイルに係る映像（画像）の再生を一時停止する。また、音声処理部３３は、再生中のマルチメディアファイルに係る音声の再生を一時停止する。ユーザーが２つの入力手段Ｘで入力部２０に接触し、２つの入力手段Ｘを互いに近づけた場合、動作Ｂ及び動作Ｅで、音声処理部３３は、再生中のマルチメディアファイルに係る音声の音量を下げる。ユーザーが２つの入力手段Ｘで入力部２０に接触し、２つの入力手段Ｘを互いに遠ざけた場合、動作Ｃ及び動作Ｆで、音声処理部３３は、再生中のマルチメディアファイルに係る音声の音量を上げる。ユーザーが少なくとも１つの入力手段Ｘで入力部２０の一点を選択し、その一点（入力点Ｐ）を移動させた場合、動作Ｄで、表示制御部３４は、現在再生中のマルチメディアファイルの次のマルチメディアファイルに係る映像（画像）の再生を開始する。また、音声処理部３３は、現在再生中のマルチメディアファイルの次のマルチメディアファイルに係る音声の再生を開始する。ここで、動作Ｄと動作Ｅと動作Ｆとの各動作は、入力点Ｐの移動方向別にさらに詳細に各動作が割り当てられてもよい。以下にその一例を説明する。
【００４２】
図８は、動作Ｄから動作Ｆまでの各動作の詳細な例を示す図表である。図８に示す第１方向から第４方向は、表示部１１の入力受付領域面上での方向（例えばＸ方向及びＹ方向）である。本実施形態では、ユーザーが携帯電話機１を持ちユーザーから見て上側に向かう方向を第１方向とし、下側に向かう方向を第２方向とし、左側に向かう方向を第３方向とし、右側に向かう方向を第４方向とする。動作Ｄで入力点Ｐが第１方向へ移動した場合、表示制御部３４は、カーソル（ポインタ）を第１方向へ移動させる。動作Ｄで入力点Ｐが第２方向へ移動した場合、表示制御部３４は、カーソル（ポインタ）を第２方向へ移動させる。動作Ｄで入力点Ｐが第３方向へ移動した場合、表示制御部３４は、カーソル（ポインタ）を第３方向へ移動させる。動作Ｄで入力点Ｐが第４方向へ移動した場合、動作Ｄで、表示制御部３４は、カーソル（ポインタ）を第４方向へ移動させる。
【００４３】
動作Ｅで入力点Ｐが第１方向へ移動した場合、音声処理部３３は、再生中のマルチメディアファイルに係る音声の音量を上げる。動作Ｅで入力点Ｐが第２方向へ移動した場合、音声処理部３３は、再生中のマルチメディアファイルに係る音声の音量を下げる。動作Ｅで入力点Ｐが第３方向へ移動した場合、表示制御部３４は、現在再生中のマルチメディアファイルに係る映像を巻き戻す。また、音声処理部３３は、現在再生中のマルチメディアファイルに係る音声を巻き戻す。動作Ｅで入力点Ｐが第４方向へ移動した場合、表示制御部３４は、現在再生中のマルチメディアファイルに係る映像を早送りする。音声処理部３３は、現在再生中のマルチメディアファイルに係る音声を早送りする。
【００４４】
動作Ｆで入力点Ｐが第１方向へ移動した場合、表示制御部３４は、現在再生中のマルチメディアファイルの前のマルチメディアファイルに係る映像（画像）の再生を開始する。また、音声処理部３３は、現在再生中のマルチメディアファイルの前のマルチメディアファイルに係る音声の再生を開始する。動作Ｆで入力点Ｐが第２方向へ移動した場合、表示制御部３４は、現在再生中のマルチメディアファイルの次のマルチメディアファイルに係る映像（画像）の再生を開始する。また、音声処理部３３は、現在再生中のマルチメディアファイルの次のマルチメディアファイルに係る音声の再生を開始する。
【００４５】
動作Ｆで入力点Ｐが第３方向へ移動した場合、表示制御部３４は、現在再生中のマルチメディアファイルの前のカテゴリに分類されているマルチメディアファイルに係る映像（画像）の再生を開始する。また、音声処理部３３は、現在再生中のマルチメディアファイルの前のカテゴリに分類されているマルチメディアファイルに係る音声の再生を開始する。カテゴリとは、アーティスト別のカテゴリや、フォルダによって分類されたカテゴリである。動作Ｆで入力点Ｐが第４方向へ移動した場合、表示制御部３４は、現在再生中のマルチメディアファイルの次のカテゴリに分類されているマルチメディアファイルに係る映像（画像）の再生を開始する。また、音声処理部３３は、現在再生中のマルチメディアファイルの次のカテゴリに分類されているマルチメディアファイルに係る音声の再生を開始する。
【００４６】
以上により、携帯電話機１は、抵抗膜方式の入力部２０への複数の入力手段Ｘによる各種入力に対応した各機能を実現できる。すなわち、携帯電話機１は、抵抗膜方式によってマルチタッチパネルに相当する技術を実現できる。これにより、ユーザーは、入力部２０が抵抗膜方式であっても、複数の入力手段Ｘを用いたより直感的な操作で携帯電話機１を扱うことができる。
【００４７】
ここで、本実施形態では、入力装置１４は携帯電話機１に搭載されるものとして説明したが、入力装置１４は、電子機器に搭載されなくてもよい。入力装置１４は、本実施形態の入力部２０と、制御部３０の少なくとも一部の機能とを含んでいれば、例えば、ペンタブレットのように電子機器とは別体で構成されてもよい。ここでいう制御部３０の少なくとも一部の機能とは、図３に示す記憶部３１と、情報取得処理部３５と、主制御部３６とである。また、入力装置１４は、表示部に重ねて設けられ、表示部の光を透過しなくてもよい。すなわち、入力装置１４は、ペンタブレットであってもよい。
【産業上の利用可能性】
【００４８】
以上のように、本発明に係る入力装置及び電子機器は、抵抗膜方式によってマルチタッチパネルに相当する技術を実現することに適している。
【符号の説明】
【００４９】
１  携帯電話機
１０  筐体
１１  表示部
１２  マイク
１３  レシーバ
１４  入力装置
２０  入力部
２１  可撓性フィルム
２２  第１導電膜
２２ａ  プラス電極
２２ｂ  マイナス電極
２３  貼合材
２４  第２導電膜
２４ａ  プラス電極
２４ｂ  マイナス電極
２５  ガラス板
２６  ドットスペーサ
２７  コネクタテール
３０  制御部
３１  記憶部
３２  通信部
３３  音声処理部
３４  表示制御部
３５  情報取得処理部
３６  主制御部
Ｄ０、Ｄｎ  位置
Ｄａ  閾値
Ｐ  入力点
Ｒ０、Ｒｎ  接触抵抗
Ｒａ  閾値
Ｘ  入力手段
【図１】
2011227671.tif 000003
【図２】
2011227671.tif 000004
【図３】
2011227671.tif 000005
【図４】
2011227671.tif 000006
【図５】
2011227671.tif 000007
【図６】
2011227671.tif 000008
【図７】
2011227671.tif 000009
【図８】
2011227671.tif 000010